(57)【要約】【課題】本発明は空気をフードの開口面から効率良く吸引して、十分な空気の流れを得ることができるバリ除去吸引ユニットを提供する。【解決手段】回転軸４０の先端部に一体的に回転可能に設けられるバリ除去用ブラシ１０と、回転軸４０のバリ除去用ブラシ１０よりも基端側に一体的に回転可能に設けられるプロペラ２０と、バリ除去用ブラシ１０およびプロペラ２０の周囲を覆う吸引フード３０とを備え、吸引フード３０の先端部には吸引フード３０の内部と外部とを連通する流入口３１が形成され、吸引フード３０の基端側部分には吸引フード３０内に流入した空気を外部に排出するための排気管５０が設けられ、プロペラ２０は、回転することにより、吸引フード３０外部の空気が流入口３１を通じて吸引フード３０内部に流入する方向の空気の流れを生成し、バリ除去用ブラシ１０の先端部は流入口３１を通じて吸引フード３０の先端から突出する、バリ除去吸引ユニット。【選択図】図２
2017024219.tif 000002
【特許請求の範囲】
【請求項１】
回転駆動される回転軸の先端部に、前記回転軸と一体的に回転可能に設けられるバリ除去用ブラシと、
前記回転軸の前記バリ除去用ブラシよりも基端側に、前記回転軸と一体的に回転可能に設けられるプロペラと、
前記バリ除去用ブラシおよびプロペラの周囲を覆うフードとを備え、
前記フードの先端部には、前記フードの内部と外部とを連通する、空気の流入口が形成され、
前記フードの基端側部分には、前記フード内に流入した空気を外部に排出するための排気管が設けられ、
前記プロペラは、回転することにより、前記フード外部の空気が前記流入口を通じて前記フード内部に流入する方向の空気の流れを生成し、
前記バリ除去用ブラシの先端部は、前記流入口を通じて前記フードの先端から突出している、
ことを特徴とするバリ除去吸引ユニット。
【発明の詳細な説明】
【技術分野】
【０００１】
本発明は、ワークの表面に生じた樹脂バリ等のバリを除去して吸引するためのバリ除去吸引ユニットに関する。
【背景技術】
【０００２】
従来、回転駆動されるブラシやディスクサンダーをワークの表面に当接させて、ワークの表面に生じたバリを掻き取ったり、ワークの表面の研磨を行ったりする際に、前記ブラシやディスクサンダーの周囲をカバーで覆うとともに、前記カバー内部の空気を前記カバーに形成された吸引口を通じて吸引源により吸引することで、バリの掻き出しや研磨により生じた粉塵等を前記カバー内部に閉じ込め、空気とともに吸引して回収することが行われている。
例えば、図５に示すように、回転軸１４０を中心に回転駆動されるブラシ１１０をワークＷの表面に当接させて、ワークＷの表面に生じたバリを掻き取るバリ除去吸引ユニット１０１においては、ブラシ１１０の周囲をフード１３０にて覆い、フード１３０内部の空気を、フード１３０に形成された吸引口１３１を通じて吸引源１６０により吸引することで、バリの掻き取りによりワークＷから除去されたバリをフード１３０内部に閉じ込め、空気とともに吸引して回収している。
【０００３】
また、吸引源を用いてカバー内部の粉塵等を吸引するように構成した場合、ブラシやディスクサンダーの回転駆動源に加えて吸引源が別途必要となることから、ブラシやディスクサンダーの回転軸にプロペラを設けて、当該プロペラの回転により生じる空気の流れによりカバー内部の粉塵等を吸引して回収することも行われている。
例えば、特許文献１には、ギヤーシャフト上に固着したディスクペーパーと、ディスクペーパーの側面と裏面とを被覆することができるカバーと、ディスクペーパーの裏面に配設され、カバーの開口面から空気を吸引することができるインペラーとを備え、ディスクペーパーの研磨により発生した粉塵をカバー内部に閉じ込めるようにしながら、前記インペラーの回転により、カバーに形成した排気孔を通じて集塵袋内に回収するように構成した集塵装置付ディスクサンダーが開示されている。
【先行技術文献】
【特許文献】
【０００４】
【特許文献１】実開昭６１−１７２７６１号公報
【発明の概要】
【発明が解決しようとする課題】
【０００５】
前述の特許文献１に記載された技術においては、ディスクペーパーとともに回転駆動されるインペラーの回転に伴ってカバー内部に吸引される空気の流れにより粉塵が回収されるため、空気の吸引源を別途設ける必要がなく、装置構成の簡略化および小型化を図ることができる。
しかし、特許文献１に記載のディスクサンダーにおいては、カバーの開口面がディスクペーパーの表面よりも前方に突出するように構成されており、ディスクペーパーの表面をワークの研磨面に当接させると、カバーの前端部がワークの研磨面に圧接され、カバーの開口面がワークの研磨面により閉塞されることとなる。
従って、前記インペラーの回転により、空気をカバーの開口面からカバー内部に吸引しようとした場合、効率良く吸引することができず、十分な空気の流れを得ることが困難であった。
【０００６】
そこで、本発明においては、バリを除去するためのブラシと当該ブラシと一体的に回転可能なプロペラとを備えたバリ除去吸引ユニットであって、前記ブラシをワークの表面に当接させた場合でも前記ブラシを覆うフードの開口面が閉塞されずに、前記プロペラの回転によって、空気をフードの開口面から効率良く吸引して、十分な空気の流れを得ることができるバリ除去吸引ユニットを提供するものである。
【課題を解決するための手段】
【０００７】
上記課題を解決するバリ除去吸引ユニットは、以下の特徴を有する。
即ち、請求項１記載の如く、回転駆動される回転軸の先端部に、前記回転軸と一体的に回転可能に設けられるバリ除去用ブラシと、前記回転軸の前記バリ除去用ブラシよりも基端側に、前記回転軸と一体的に回転可能に設けられるプロペラと、前記バリ除去用ブラシおよびプロペラの周囲を覆うフードとを備え、前記フードの先端部には、前記フードの内部と外部とを連通する、空気の流入口が形成され、前記フードの基端側部分には、前記フード内に流入した空気を外部に排出するための排気管が設けられ、前記プロペラは、回転することにより、前記フード外部の空気が前記流入口を通じて前記フード内部に流入する方向の空気の流れを生成し、前記バリ除去用ブラシの先端部は、前記流入口を通じて前記フードの先端から突出している、バリ除去吸引ユニットである。
【発明の効果】
【０００８】
本発明によれば、吸引フードの先端側から基端側への空気の流れを十分に得ることができ、吸引フード内部に存在しているバリの吸引を効率良く行うことが可能となる。
【図面の簡単な説明】
【０００９】
【図１】バリ除去吸引ユニットを示す斜視図である。
【図２】バリ除去吸引ユニットを示す側面断面図である。
【図３】バリ除去吸引ユニットを示す平面断面図である。
【図４】回転軸にプロペラを設けるとともに吸引フードをテーパ形状に形成した場合と、回転軸にプロペラを設けなかった場合との、吸引フードの流入口に流入する空気の風量の違いを示す図である。
【図５】カバー内部の空気を吸引源により吸引するように構成した、従来のバリ除去吸引ユニットを示す側面断面図である。
【発明を実施するための形態】
【００１０】
次に、本発明を実施するための形態を、添付の図面を用いて説明する。
【００１１】
図１〜図３に示すバリ除去吸引ユニット１は、本発明に係るバリ除去吸引ユニットの実施形態であり、金型等のワークに発生したバリを除去するとともに吸引して回収するものである。本実施形態におけるワークは、例えば電動機におけるロータの樹脂モールド工程において用いられる金型であり、ワークに発生するバリは樹脂バリである。例えば、金型に発生した樹脂バリは、樹脂モールド工程を経たロータの品質に影響をおよぼすため、バリ除去吸引ユニット１による樹脂バリの除去・吸引が行われる。
【００１２】
バリ除去吸引ユニット１は、図示せぬ駆動源により回転駆動される回転軸４０の先端部（図２における下端部）に、回転軸４０と一体的に回転可能に設けられるバリ除去用ブラシ１０と、回転軸４０のバリ除去用ブラシ１０よりも基端側（図２における上側）に、回転軸４０と一体的に回転可能に設けられるプロペラ２０と、バリ除去用ブラシ１０およびプロペラ２０の周囲を覆う吸引フード３０とを備えている。
【００１３】
バリ除去用ブラシ１０は、円柱形状に形成されたブラシであり、その軸方向が回転軸４０の軸方向と平行となる姿勢に配置されている。バリ除去用ブラシ１０の先端面１１はワークＷの表面に当接される面であり、平坦な面に形成されている。
バリ除去吸引ユニット１においては、バリ除去用ブラシ１０の先端面１１をワークＷの表面に当接させた状態でバリ除去用ブラシ１０を回転駆動することで、ワークＷの表面に発生したバリを掻き取り、ワークＷの表面から除去するように構成している。
【００１４】
プロペラ２０は、バリ除去用ブラシ１０よりも上方に配置されており、回転軸４０が回転駆動されるとバリ除去用ブラシ１０とともに回転する。プロペラ２０の回転方向は、プロペラ２０が回転することにより、回転軸４０の軸方向における先端側から基端側（図２における下側から上側）へ向かう空気の流れが生じる方向となっている。
プロペラ２０の外径寸法は、バリ除去用ブラシ１０の外径寸法よりも大きく形成されており、プロペラ２０の回転により生じる空気の流れが大きくなるように構成されている。
【００１５】
吸引フード３０はバリ除去用ブラシ１０およびプロペラ２０の周囲を覆うフードであるが、吸引フード３０の先端面（図２における下端面）は開口して空気の流入口３１を形成している。従って、バリ除去用ブラシ１０およびプロペラ２０の周囲を覆う吸引フード３０は、実質的にはバリ除去用ブラシ１０およびプロペラ２０の外周側方および上方を覆っており、下方は開放されている。流入口３１により、吸引フード３０の内部と外部とが連通している。
【００１６】
バリ除去用ブラシ１０およびプロペラ２０を支持する回転軸４０は、吸引フード３０の上面を貫通して、吸引フード３０の内部から外部へと延出している。回転軸４０は、吸引フード３０の外部において駆動源と接続されている。
【００１７】
吸引フード３０の内周面と、バリ除去用ブラシ１０およびプロペラ２０の外周面との間には所定の間隙が形成されており、当該間隙を空気が通過可能となっている。また、吸引フード３０は、先端側から基端側へいくに従って拡径するテーパ形状に形成されており、吸引フード３０の内周面とバリ除去用ブラシ１０の外周面との間隙の径方向における大きさが、先端側から基端側へいくに従って大きくなっている。
【００１８】
バリ除去用ブラシ１０の先端部は、吸引フード３０の流入口３１を通じて、吸引フード３０の先端よりも先端側（図２における下側）へ突出している。つまり、バリ除去用ブラシ１０の先端部は、吸引フード３０の外部に露出している。
これにより、バリ除去用ブラシ１０の先端面１１をワークＷの表面に当接させたときに、吸引フード３０の先端とワークＷの表面との間に隙間が形成されることとなっている。この吸引フード３０の先端とワークＷの表面との間の隙間を通じて、吸引フード３０外部の空気が吸引フード３０内部へ流入可能となっている。
【００１９】
吸引フード３０における外周面の基端側部分（図２における上部）には排気口３２・３２が形成されている。各排気口３２・３２には、管状部材にて構成される排気管５０・５０がそれぞれ接続されている。
吸引フード３０内部と排気管５０・５０とは排気口３２・３２を介して連通しており、吸引フード３０内部の空気を排気管５０・５０を通じて吸引フード３０の外部へ排出することが可能となっている。
【００２０】
このように構成されるバリ除去吸引ユニット１においては、次のようにしてワークＷの表面に発生したバリの除去・吸引が行われる。
まず、バリ除去用ブラシ１０の先端面１１をワークＷの表面に当接させた後、回転軸４０を回転駆動してバリ除去用ブラシ１０を回転させる、または、回転軸４０の回転駆動により回転している状態となっているバリ除去用ブラシ１０を、ワークＷの表面に当接させる。
回転状態のバリ除去用ブラシ１０がワークＷの表面に当接することにより、ワークＷの表面に発生したバリがバリ除去用ブラシ１０により掻き取られ、ワークＷの表面から除去される。
【００２１】
バリ除去用ブラシ１０により掻き取られたバリは、バリ除去用ブラシ１０の周囲がカバーに覆われているので、吸引フード３０の内部に留まり外部に飛散することが防止される。
また、吸引フード３０の内部においては、バリ除去用ブラシ１０の回転に伴ってプロペラ２０が回転しているため、吸引フード３０の先端部側（流入口３１側）から基端部側へ向かう空気の流れが生じており、これにより吸引フード３０の先端部において、吸引フード３０外部の空気が流入口３１を通じて吸引フード３０の内部に流入する方向の空気の流れが生成される。
【００２２】
このように、吸引フード３０外部の空気が流入口３１を通じて吸引フード３０の内部に流入し、吸引フード３０の先端部から基端部側へ流れることで、吸引フード３０の内部に留まっている除去されたバリが吸引フード３０の先端部から基端部側へ吸引されることとなる。
また、吸引フード３０の基端部側へ流れる空気は、吸引フード３０の基端側部分に形成される排気口３２・３２を通じて排気管５０・５０へ案内され、排気管５０・５０から吸引フード３０の外部へ排出されるが、吸引フード３０の基端部側へ吸引されたバリもこの空気の流れに乗って吸引フード３０の外部へ排出される。
【００２３】
吸引フード３０外部の空気が流入口３１を通じて吸引フード３０の内部に流入する際には、流入口３１とワークＷの表面との間には隙間が形成されており、流入口３１がワークＷの表面により閉塞されていないため、吸引フード３０外部の空気の吸引フード３０内部への流入が阻害されることがなく、空気の吸引フード３０内部への流入量を増大させることができる。
これにより、吸引フード３０の先端側から基端側への空気の流れを十分に得ることができ、吸引フード３０内部に存在しているバリの吸引を効率良く行って、確実に吸引フード３０の外部へ排出することが可能となっている。また、別途吸引源を設けることなく、プロペラ２０の回転のみで確実にバリを吸引して排出することが可能となる。
【００２４】
また、吸引フード３０の先端とワークＷの表面との間には隙間が形成されているが、当該隙間部分には、吸引フード３０の外部から内部へ向かう空気の流れが形成されているため、吸引フード３０の内部に存在するバリが、当該隙間部分から吸引フード３０の外部へ飛散することがない。
【００２５】
さらに、吸引フード３０は、先端側から基端側へいくに従って拡径するテーパ形状に形成されていて、吸引フード３０の内周面とバリ除去用ブラシ１０の外周面との間隙が、先端側から基端側へいくに従って大きくなっているため、流入口３１から吸引フード３０内に流入した空気が円滑に基端側へ流れることが可能となり、バリの吸引効率が向上している。
【００２６】
また、吸引フード３０の基端側面（上面）の中央部は、プロペラ２０に近接する側に凹陥した凹陥部３３に形成されており、凹陥部３３とプロペラ２０との間の間隙が、凹陥部３３よりも外周側の前記基端側面とプロペラ２０との間の間隙よりも小さくなっている。
従って、プロペラ２０により吸引フード３０の基端側部分に吸引された空気が、吸引フード３０の外周側部分に集約されることとなり、吸引フード３０の外周面に接続された排気管５０・５０から外部に排出され易くなっている。
【００２７】
さらに、図３に示すように、排気管５０・５０の吸引フード３０に対する接続方向は、
プロペラ２０の回転軌跡の接線方向と平行な方向となっているため、プロペラ２０により吸引フード３０の基端側部分に吸引されてきた空気を、排気管５０・５０へ円滑に案内することが可能となっている。
【００２８】
なお、図４に示すように、本実施形態のように、回転軸４０にプロペラ２０を設けるとともに、吸引フード３０の形状を先端側から基端側へいくに従って拡径するテーパ形状に形成した場合、流入口３１から吸引フード３内に流入する空気の風量が十分に得られているが、回転軸４０にプロペラ２０を設けることなくバリ除去吸引ユニット１を構成した場合は、流入口３１から吸引フード３内に流入する空気の風量は全く得られていない。
【符号の説明】
【００２９】
１    バリ除去吸引ユニット
１０    バリ除去用ブラシ
１１    先端面
２０    プロペラ
３０    吸引フード
３１    流入口
３２    排気口
４０    回転軸
５０    排気管
Ｗ    ワーク
【図１】
2017024219.tif 000003
【図２】
2017024219.tif 000004
【図３】
2017024219.tif 000005
【図４】
2017024219.tif 000006
【図５】
2017024219.tif 000007